(57)【要約】【課題】ＩＤカードの不正発行をより確実に防止することができるＩＤカード再発行システムを提供する。【解決手段】撮影装置２と記憶サーバ１１を接続するホストコンピュータ１とを備えるＩＤカード再発行システム１０００において、撮影装置２のＣＰＵ２１１に、撮影条件に基づいてＩＤカードの再発行を申請した申請者の第２の顔画像を当該撮影条件で撮影した場合に合わせるように補正させる補正プログラム２１３２と、ＩＤカードの発行を申請した申請者の第１の顔画像から第１の特徴量を抽出させて補正プログラム２１３２を実行したＣＰＵ２１１により補正された第２の顔画像から第２の特徴量を抽出させる抽出プログラム２１３３と、当該抽出された第１の特徴量と当該抽出された第２の特徴量とを比較してＩＤカードの再発行を申請した申請者が本人であるか否かを判定させる判定プログラム２１３４と、を備えるよう構成した。【選択図】図１
2006331247.tif 000002
【特許請求の範囲】
【請求項１】
ＩＤカードの発行を申請した申請者の顔画像を撮影する撮影装置と、当該撮影装置とネットワークを介して接続される記憶装置と、を備えるＩＤカード再発行システムにおいて、
前記記憶装置は、
前記申請者を識別する識別情報と、前記撮影装置により撮影された当該申請者の第１の顔画像と、を対応付けて記憶する顔画像記憶手段と、
前記申請者を識別する識別情報と、当該申請者の第１の顔画像を前記撮影装置により撮影した際の撮影条件と、を対応付けて記憶する撮影条件記憶手段と、
前記撮影装置からの要求に基づいて、要求された第１の顔画像を、前記顔画像記憶手段から取得して送信する顔画像取得送信手段と、
前記撮影装置からの要求に基づいて、要求された撮影条件を、前記撮影条件記憶手段から取得して送信する撮影条件取得送信手段と、
を備え、
前記撮影装置は、
前記ＩＤカードの再発行を申請した申請者の識別情報を入力する入力手段と、
前記記憶装置に、前記入力手段により入力された識別情報に対応付けられた第１の顔画像を送信するよう要求する顔画像要求手段と、
前記記憶装置に、前記入力手段により入力された識別情報に対応付けられた撮影条件を送信するよう要求する撮影条件要求手段と、
前記顔画像要求手段による要求に従って前記顔画像取得送信手段により送信された第１の顔画像から、顔の特徴を示す第１の特徴量を抽出する第１の抽出手段と、
前記撮影条件要求手段による要求に従って前記撮影条件取得送信手段により送信された撮影条件に基づいて、当該撮影装置により撮影された前記ＩＤカードの再発行を申請した申請者の第２の顔画像を、当該撮影条件で撮影した場合に合わせるように補正する補正手段と、
前記補正手段により補正された第２の顔画像から、顔の特徴を示す第２の特徴量を抽出する第２の抽出手段と、
前記第１の抽出手段により抽出された第１の特徴量と、前記第２の抽出手段により抽出された第２の特徴量と、を比較して、前記ＩＤカードの再発行を申請した申請者が本人であるか否かを判定する判定手段と、
を備えることを特徴とするＩＤカード再発行システム。
【請求項２】
ＩＤカードの発行を申請した申請者の顔画像を撮影する撮影装置と、当該撮影装置とネットワークを介して接続される記憶装置と、を備えるＩＤカード再発行システムにおいて、
前記記憶装置は、
前記申請者を識別する識別情報と、当該申請者の第１の顔画像から抽出した顔の特徴を示す第１の特徴量と、を対応付けて記憶する特徴量記憶手段と、
前記申請者を識別する識別情報と、当該申請者の第１の顔画像から前記第１の特徴量を抽出した際の抽出条件と、を対応付けて記憶する抽出条件記憶手段と、
前記撮影装置からの要求に基づいて、要求された第１の特徴量を、前記特徴量記憶手段から取得して送信する特徴量取得送信手段と、
前記撮影装置からの要求に基づいて、要求された抽出条件を、前記抽出条件記憶手段から取得して送信する抽出条件取得送信手段と、
を備え、
前記撮影装置は、
前記ＩＤカードの再発行を申請した申請者の識別情報を入力する入力手段と、
前記記憶装置に、前記入力手段により入力された識別情報に対応付けられた第１の特徴量を送信するよう要求する特徴量要求手段と、
前記記憶装置に、前記入力手段により入力された識別情報に対応付けられた抽出条件を送信するよう要求する抽出条件要求手段と、
前記ＩＤカードの再発行を申請した申請者の第２の顔画像から、前記抽出条件要求手段による要求に従って前記抽出条件取得送信手段により送信された抽出条件に基づいて、顔の特徴を示す第２の特徴量を抽出する抽出手段と、
前記特徴量要求手段による要求に従って前記特徴量取得送信手段により送信された第１の特徴量と、前記抽出手段により抽出された第２の特徴量と、を比較して、前記ＩＤカードの再発行を申請した申請者が本人であるか否かを判定する判定手段と、
を備えることを特徴とするＩＤカード再発行システム。
【請求項３】
請求項２に記載のＩＤカード再発行システムにおいて、
前記記憶装置は、
前記申請者を識別する識別情報と、当該申請者の第１の顔画像を前記撮影装置により撮影した際の撮影条件と、を対応付けて記憶する撮影条件記憶手段と、
前記撮影装置からの要求に基づいて、要求された撮影条件を、前記撮影条件記憶手段から取得して送信する撮影条件取得送信手段と、
を備え、
前記撮影装置は、
前記記憶装置に、前記入力手段により入力された識別情報に対応付けられた撮影条件を送信するよう要求する撮影条件要求手段と、
前記撮影条件要求手段による要求に従って前記撮影条件取得送信手段により送信された撮影条件に基づいて、当該撮影装置により撮影された前記ＩＤカードの再発行を申請した申請者の第２の顔画像を、当該撮影条件で撮影した場合に合わせるように補正する補正手段と、
を備え、
前記抽出手段は、前記補正手段により補正された第２の顔画像から、前記抽出条件要求手段による要求に従って前記抽出条件取得送信手段により送信された抽出条件に基づいて、顔の特徴を示す第２の特徴量を抽出することを特徴とするＩＤカード再発行システム。
【請求項４】
請求項１〜３の何れか一項に記載のＩＤカード再発行システムにおいて、
前記撮影装置は、
当該撮影装置により撮影されたＩＤカードの再発行を申請した申請者の第２の顔画像を確定する確定手段を備え、
前記補正手段は、前記確定手段により第２の顔画像が確定された後に実行することを特徴とするＩＤカード再発行システム。
【請求項５】
請求項１〜３の何れか一項に記載のＩＤカード再発行システムにおいて、
前記撮影装置は、
当該撮影装置により撮影されたＩＤカードの再発行を申請した申請者の第２の顔画像を確定する確定手段を備え、
前記補正手段は、前記確定手段により第２の顔画像が確定するまで、前記撮影装置により第２の顔画像が撮影される度に実行することを特徴とするＩＤカード再発行システム。
【発明の詳細な説明】
【技術分野】
【０００１】
本発明は、ＩＤカード再発行システムに関する。
【背景技術】
【０００２】
運転免許証や社員証などの各種ＩＤカードは、社会生活の上で一般化し、欠くことのできないものとなっている。
ところで、ＩＤカードを更新する際や、ＩＤカードを紛失した際には、ＩＤカードを再発行する。この再発行を申請する申請者の中には、他人になりすまして他人のＩＤカードを再発行してもらい、例えば、これを悪意に使用する者がいる。そこで、ＩＤカードの再発行を申請した者が、本人であるか否かを判定することができるよう、例えば、ＩＣカード（電子化されたＩＤカード）にプリントする顔画像に対応した特徴情報（顔の代表的な特徴を示す情報）を、当該ＩＣカードに記録する方法（例えば、特許文献１参照）や、ＩＤカードの発行時に撮影した顔画像から抽出した識別情報（顔の特徴を示す情報）を予め記憶しておき、ＩＤカードの再発行時に、再発行時に撮影した顔画像から抽出した識別情報と、当該記憶しておいた発行時に撮影した顔画像から抽出した識別情報とを比較し、本人であるか否かを判定する方法（例えば、特許文献２参照）などが提案された。
【特許文献１】特開２００３−３１７０３６号公報
【特許文献２】特開２００４−１４２４７０号公報
【発明の開示】
【発明が解決しようとする課題】
【０００３】
しかしながら、特許文献１に記載の方法では、ＩＣカードの再発行時に、これまで使用していたＩＣカードを提出し、当該ＩＣカードから特徴情報を読み出し、当該ＩＣカードの再発行を申請した申請者が、本人であるか否かを判定する必要があるため、時間がかかるという問題がある。また、これまで使用していたＩＣカードを提出しなければならないため、ＩＣカードを紛失した際のＩＣカードの再発行には適用できない。また、ＩＣカードを提出できたとしても、ＩＣカードが壊れていたり、ＩＣカードから情報が読み出せなかったり、ＩＣカードに記録された情報が改ざんされている場合があり、ＩＣカードの不正発行を、確実に防止することができないという問題があった。
また、特許文献２に記載の方法では、例えば、発行時と再発行時とで、顔画像を撮影する際の撮影条件や識別情報を抽出する際の抽出条件などが異なると、発行時の識別情報と再発行時の識別情報とを正確に比較することができず、ＩＤカードの不正発行を、確実に防止することができないという問題があった。
【０００４】
本発明の課題は、ＩＤカードの不正発行をより確実に防止することができるＩＤカード再発行システムを提供することにある。
【課題を解決するための手段】
【０００５】
上記課題を解決するために、請求項１に記載の発明は、ＩＤカードの発行を申請した申請者の顔画像を撮影する撮影装置と、当該撮影装置とネットワークを介して接続される記憶装置と、を備えるＩＤカード再発行システムにおいて、前記記憶装置は、前記申請者を識別する識別情報と、前記撮影装置により撮影された当該申請者の第１の顔画像と、を対応付けて記憶する顔画像記憶手段と、前記申請者を識別する識別情報と、当該申請者の第１の顔画像を前記撮影装置により撮影した際の撮影条件と、を対応付けて記憶する撮影条件記憶手段と、前記撮影装置からの要求に基づいて、要求された第１の顔画像を、前記顔画像記憶手段から取得して送信する顔画像取得送信手段と、前記撮影装置からの要求に基づいて、要求された撮影条件を、前記撮影条件記憶手段から取得して送信する撮影条件取得送信手段と、を備え、前記撮影装置は、前記ＩＤカードの再発行を申請した申請者の識別情報を入力する入力手段と、前記記憶装置に、前記入力手段により入力された識別情報に対応付けられた第１の顔画像を送信するよう要求する顔画像要求手段と、前記記憶装置に、前記入力手段により入力された識別情報に対応付けられた撮影条件を送信するよう要求する撮影条件要求手段と、前記顔画像要求手段による要求に従って前記顔画像取得送信手段により送信された第１の顔画像から、顔の特徴を示す第１の特徴量を抽出する第１の抽出手段と、前記撮影条件要求手段による要求に従って前記撮影条件取得送信手段により送信された撮影条件に基づいて、当該撮影装置により撮影された前記ＩＤカードの再発行を申請した申請者の第２の顔画像を、当該撮影条件で撮影した場合に合わせるように補正する補正手段と、前記補正手段により補正された第２の顔画像から、顔の特徴を示す第２の特徴量を抽出する第２の抽出手段と、前記第１の抽出手段により抽出された第１の特徴量と、前記第２の抽出手段により抽出された第２の特徴量と、を比較して、前記ＩＤカードの再発行を申請した申請者が本人であるか否かを判定する判定手段と、を備えることを特徴とする。
【０００６】
請求項２に記載の発明は、ＩＤカードの発行を申請した申請者の顔画像を撮影する撮影装置と、当該撮影装置とネットワークを介して接続される記憶装置と、を備えるＩＤカード再発行システムにおいて、前記記憶装置は、前記申請者を識別する識別情報と、当該申請者の第１の顔画像から抽出した顔の特徴を示す第１の特徴量と、を対応付けて記憶する特徴量記憶手段と、前記申請者を識別する識別情報と、当該申請者の第１の顔画像から前記第１の特徴量を抽出した際の抽出条件と、を対応付けて記憶する抽出条件記憶手段と、前記撮影装置からの要求に基づいて、要求された第１の特徴量を、前記特徴量記憶手段から取得して送信する特徴量取得送信手段と、前記撮影装置からの要求に基づいて、要求された抽出条件を、前記抽出条件記憶手段から取得して送信する抽出条件取得送信手段と、を備え、前記撮影装置は、前記ＩＤカードの再発行を申請した申請者の識別情報を入力する入力手段と、前記記憶装置に、前記入力手段により入力された識別情報に対応付けられた第１の特徴量を送信するよう要求する特徴量要求手段と、前記記憶装置に、前記入力手段により入力された識別情報に対応付けられた抽出条件を送信するよう要求する抽出条件要求手段と、前記ＩＤカードの再発行を申請した申請者の第２の顔画像から、前記抽出条件要求手段による要求に従って前記抽出条件取得送信手段により送信された抽出条件に基づいて、顔の特徴を示す第２の特徴量を抽出する抽出手段と、前記特徴量要求手段による要求に従って前記特徴量取得送信手段により送信された第１の特徴量と、前記抽出手段により抽出された第２の特徴量と、を比較して、前記ＩＤカードの再発行を申請した申請者が本人であるか否かを判定する判定手段と、を備えることを特徴とする。
【０００７】
請求項３に記載の発明は、請求項２に記載のＩＤカード再発行システムにおいて、前記記憶装置は、前記申請者を識別する識別情報と、当該申請者の第１の顔画像を前記撮影装置により撮影した際の撮影条件と、を対応付けて記憶する撮影条件記憶手段と、前記撮影装置からの要求に基づいて、要求された撮影条件を、前記撮影条件記憶手段から取得して送信する撮影条件取得送信手段と、を備え、前記撮影装置は、前記記憶装置に、前記入力手段により入力された識別情報に対応付けられた撮影条件を送信するよう要求する撮影条件要求手段と、前記撮影条件要求手段による要求に従って前記撮影条件取得送信手段により送信された撮影条件に基づいて、当該撮影装置により撮影された前記ＩＤカードの再発行を申請した申請者の第２の顔画像を、当該撮影条件で撮影した場合に合わせるように補正する補正手段と、を備え、前記抽出手段は、前記補正手段により補正された第２の顔画像から、前記抽出条件要求手段による要求に従って前記抽出条件取得送信手段により送信された抽出条件に基づいて、顔の特徴を示す第２の特徴量を抽出することを特徴とする。
【０００８】
請求項４に記載の発明は、請求項１〜３の何れか一項に記載のＩＤカード再発行システムにおいて、前記撮影装置は、当該撮影装置により撮影されたＩＤカードの再発行を申請した申請者の第２の顔画像を確定する確定手段を備え、前記補正手段は、前記確定手段により第２の顔画像が確定された後に実行することを特徴とする。
【０００９】
請求項５に記載の発明は、請求項１〜３の何れか一項に記載のＩＤカード再発行システムにおいて、前記撮影装置は、当該撮影装置により撮影されたＩＤカードの再発行を申請した申請者の第２の顔画像を確定する確定手段を備え、前記補正手段は、前記確定手段により第２の顔画像が確定するまで、前記撮影装置により第２の顔画像が撮影される度に実行することを特徴とする。
【発明の効果】
【００１０】
請求項１に記載の発明によれば、第１の顔画像と第２の顔画像とが略同一の撮影条件で撮影されたかのように、補正手段によって第２の顔画像を補正することができる。また、ＩＤカードの再発行の際に、第１の抽出手段によって第１の特徴量を抽出するとともに、第２の抽出手段によって第２の抽出量を抽出するため、第１の特徴量の抽出条件と第２の特徴量との抽出条件が同一である。したがって、発行時の顔画像（第１の顔画像）に基づく第１の特徴量と、再発行時の顔画像（第２の顔画像）に基づく第２の特徴量と、をより正確に比較することができることとなって、ＩＤカードの不正発行をより確実に防止することができる。
【００１１】
請求項２に記載の発明によれば、第１の特徴量と第２の特徴量とが略同一の抽出条件で抽出されたかのように、抽出手段によって第２の特徴量を抽出することができる。したがって、発行時の顔画像（第１の顔画像）に基づく第１の特徴量と、再発行時の顔画像（第２の顔画像）に基づく第２の特徴量と、を正確に比較することができることとなって、ＩＤカードの不正発行を確実に防止することができる。また、発行時には、第１の特徴量と抽出条件とを記憶しておくだけなので、第１の顔画像を記憶しておく場合と比較してデータ量を少なくすることができるため、データ管理にかかる負担、データ転送やデータ検索にかかる時間、などを軽減することができる。
【００１２】
請求項３に記載の発明によれば、請求項２に記載の発明と同様の効果が得られることは無論のこと、第１の顔画像と第２の顔画像とが略同一の撮影条件で撮影されたかのように、補正手段によって第２の顔画像を補正することができる。したがって、発行時の顔画像（第１の顔画像）に基づく第１の特徴量と、再発行時の顔画像（第２の顔画像）に基づく第２の特徴量と、をより正確に比較することができることとなって、ＩＤカードの不正発行をより確実に防止することができる。
【００１３】
請求項４に記載の発明によれば、請求項１〜３の何れか一項に記載の発明と同様の効果が得られることは無論のこと、第２の顔画像が確定された後に、補正手段によって第２の顔画像の補正を行うことができる。すなわち、第２の顔画像の補正と、第２の特徴量の抽出と、第１の特徴量と第２の特徴量との比較と、が一回のみで済むこととなって、ＩＤカードの再発行を申請した申請者が本人であるか否かの判定が効率よく行われる。
【００１４】
請求項５に記載の発明によれば、請求項１〜３の何れか一項に記載の発明と同様の効果が得られることは無論のこと、第２の顔画像が撮影される度に、補正手段によって第２の顔画像の補正を行うことができる。すなわち、撮影と略同時に、第２の顔画像の補正と、第２の特徴量の抽出と、第１の特徴量と第２の特徴量との比較と、が行われることとなって、ＩＤカードの再発行が効率よく行われる。また、第１の特徴量と第２の特徴量の比較が、複数回、行われるため、より正確に、申請者が本人であるか否かの判定を行うことができる。
【発明を実施するための最良の形態】
【００１５】
以下、図を参照して、本発明を実施するための最良の形態を詳細に説明する。なお、発明の範囲は、図示例に限定されない。
【００１６】
[第１の実施の形態]
まず、第１の実施の形態について説明する。
【００１７】
＜ＩＤカード再発行システムの構成＞
まず、ＩＤカード再発行システム１０００の構成を、図１を参照して説明する。
【００１８】
ＩＤカード再発行システム１０００は、例えば、図１に示すように、記憶サーバ１１を接続するホストコンピュータ１、撮影装置２、ＩＤカード発行装置３などを備えて構成される。ホストコンピュータ１と、撮影装置２と、ＩＤカード発行装置３とは、ネットワークを介して接続されており、互いに通信可能となっている。
【００１９】
なお、ネットワークは、専用線により構築された通信ネットワークであり、ＬＡＮ（Local Area Network）やＷＡＮ（Wide Area Network）などの回線形態を適用することが可能である。
また、一つのホストコンピュータ１に接続される、撮影装置２やＩＤカード発行装置３の個数は、図１の限りではなく、任意である。
【００２０】
ホストコンピュータ１は、予め記憶されたプログラムに従い、ＩＤカード再発行システム１０００を統括的に制御するコンピュータである。ホストコンピュータ１は、例えば、図１に示すように、記憶サーバ１１（例えば、磁気テープ装置や磁気ディスク装置などの磁気記憶装置など）を接続している。
ここで、ホストコンピュータ１と記憶サーバ１１とにより、記憶装置が構成されることとなる。
【００２１】
記憶サーバ１１には、例えば、図１に示すように、顔画像データベース１１１や取得送信プログラム１１２などが格納されている。さらに、記憶サーバ１１には、例えば、申請者の個人情報（住所、氏名、国籍・本籍、生年月日など）なども記憶されている。
【００２２】
顔画像データベース１１１は、顔画像記憶手段及び撮影条件記憶手段として、申請者を識別する識別情報としてのＩＤ番号と、撮影装置２により撮影された当該申請者の第１の顔画像と、当該申請者の第１の顔画像を撮影装置２により撮影した際の撮影条件と、を対応付けて記憶する。
ここで、第１の顔画像とは、ＩＤカードの発行（１回目の発行）時に、撮影装置２のカメラ２２１（後述）により撮影された顔画像のことである。
また、撮影条件とは、例えば、第１の顔画像を撮影した際における、撮影装置２のカメラ２２１（後述）の機種名、カメラ２２１のガンマ特性、カメラ２２１の絞り値、カメラ２２１のシャッター速度、カメラ２２１のカメラアングル、カメラ２２１の撮影倍率（ズーム比率）、カメラ２２１の撮影距離、照明や背景の明度・彩度・色相などである。
【００２３】
取得送信プログラム１１２は、ＩＤカードの再発行（２回目以降の発行）時に、ホストコンピュータ１に、撮影装置２からの要求に基づいて、要求された第１の顔画像及び撮影条件を、顔画像データベース１１１から取得して送信する機能を実現させる。
ホストコンピュータ１は、かかる取得送信プログラム１１２を実行することによって、顔画像取得送信手段及び撮影条件取得送信手段として機能する。
【００２４】
なお、顔画像データベース１１１や取得送信プログラム１１２は、ホストコンピュータ１に格納してもよいし、或いは、ネットワークを介して接続される外部装置内に格納してもよい。
【００２５】
撮影装置２は、ＩＤカードの発行を申請した申請者の顔画像を撮影する。
撮影装置２は、例えば、図１に示すように、エンジニアリング・ワーク・ステーション（以下、ＥＷＳ）２１と、カメラ２２１、ＴＶモニタ２２２及び入力部２２３を接続する画像処理装置２２と、ＩＤ番号入力装置２３と、などを備えている。そして、撮影装置２は、ＥＷＳ２１によってネットワークに接続されている。
【００２６】
ＥＷＳ２１は、例えば、図１に示すように、ＣＰＵ（Central Processing Unit）２１１、ＲＡＭ（Random Access Memory）２１２、記憶部２１３などを備えている。
【００２７】
ＣＰＵ２１１は、記憶部２１３に記憶されたＥＷＳ２１用の各種処理プログラムに従って各種の制御動作を行う。
【００２８】
ＲＡＭ２１２は、ＣＰＵ２１１によって実行される処理プログラムなどを展開するためのプログラム格納領域や、入力データや上記処理プログラムが実行される際に生じる処理結果などを格納するデータ格納領域などを備える。
【００２９】
記憶部２１３は、ＥＷＳ２１で実行可能なシステムプログラム、当該システムプログラムで実行可能な各種処理プログラム、これら各種処理プログラムを実行する際に使用されるデータ、ＣＰＵ２１１によって演算処理された処理結果のデータなどを記憶する。なお、プログラムは、コンピュータが読み取り可能なプログラムコードの形で記憶部２１３に記憶されている。
具体的には、記憶部２１３には、例えば、図１に示すように、要求プログラム２１３１、補正プログラム２１３２、抽出プログラム２１３３、判定プログラム２１３４などが格納されている。
【００３０】
要求プログラム２１３１は、ＩＤカードの再発行（２回目以降の発行）時に、ＣＰＵ２１１に、記憶サーバ１１を接続するホストコンピュータ１に、入力手段としてのＩＤ番号入力装置２３により入力されたＩＤ番号に対応付けられた第１の顔画像及び撮影条件を送信するよう要求する機能を実現させる。
ＣＰＵ２１１は、かかる顔画像要求プログラム２１３２を実行することによって、顔画像要求手段及び撮影条件要求手段として機能する。
【００３１】
補正プログラム２１３２は、ＩＤカードの再発行（２回目以降の発行）時に、ＣＰＵ２１１に、要求プログラム２１３１を実行したＣＰＵ２１１による要求に従って取得送信プログラム１１２を実行したホストコンピュータ１により送信された撮影条件に基づいて、撮影装置２（カメラ２２１）により撮影されたＩＤカードの再発行を申請した申請者の第２の顔画像を、当該撮影条件で撮影した場合に合わせるように補正する機能を実現させる。
ここで、第２の顔画像とは、ＩＤカードの再発行（２回目以降の発行）時に、カメラ２２１により撮影された顔画像のことである。
具体的には、撮影装置２のオペレータによる確定手段としての入力部２２３の操作によって、カメラ２２１により撮影された第２の顔画像が確定されると、ＣＰＵ２１１は、補正プログラム２１３２を実行して、取得送信プログラム１１２を実行したホストコンピュータ１により送信された撮影条件に基づいて、当該確定された第２の顔画像を、当該送信された撮影条件で撮影した場合に合わせるように補正する。
ここで、ＣＰＵ２１１は、例えば、第１の顔画像を撮影した際の撮影条件に対応した補正テーブルや補正計算式などを用いて、第２の顔画像の補正を行う。なお、補正テーブルや補正計算式などは、記憶部２１３に記憶されていることとする。
ＣＰＵ２１１は、かかる補正プログラム２１３２を実行することによって、補正手段として機能する。
【００３２】
抽出プログラム２１３３は、ＩＤカードの再発行（２回目以降の発行）時に、ＣＰＵ２１１に、要求プログラム２１３１を実行したＣＰＵ２１１による要求に従って取得送信プログラム１１２を実行したホストコンピュータ１により送信された第１の顔画像から、顔の特徴を示す第１の特徴量を抽出する機能を実現させる。
また、抽出プログラム２１３３は、ＩＤカードの再発行（２回目以降の発行）時に、ＣＰＵ２１１に、補正プログラム２１３２を実行したＣＰＵ２１１により補正された第２の顔画像から、顔の特徴量を示す第２の特徴量を抽出する機能を実現させる。
ここで、第１の特徴量及び第２の特徴量とは、それぞれ第１の顔画像及び第２の顔画像から抽出した、顔を構成する部位（目、鼻、口など）の位置や、当該部位同士の間隔などであり、具体的には、例えば、目の位置や、目と鼻の間隔などである。
ＣＰＵ２１１は、かかる第１の抽出プログラム２１３３を実行することによって、第１の抽出手段及び第２の抽出手段として機能する。
なお、ＣＰＵ２１１は抽出プログラム２１３３を実行して、第１の顔画像及び第２の顔画像から、同一種類の特徴量を抽出することとする。すなわち、ＣＰＵ２１１は、抽出プログラム２１３３を実行して、第１の顔画像から、目の位置及び目と鼻の間隔を抽出したのであれば、第２の顔画像からも、目の位置及び目と鼻の間隔を抽出することとする。
【００３３】
判定プログラム２１３４は、ＩＤカードの再発行（２回目以降の発行）時に、ＣＰＵ２１１に、抽出プログラム２１３３を実行したＣＰＵ２１１により抽出された第１の特徴量と第２の特徴量とを比較して、ＩＤカードの再発行を申請した申請者が本人であるか否かを判定する機能を実現させる。
ここで、ＣＰＵ２１１は、例えば、第１の特徴量と第２の特徴量とが、所定の誤差範囲内で一致した場合に、申請者は本人であると判定する。
ＣＰＵ２１１は、かかる判定プログラム２１３４を実行することによって、判定手段として機能する。
【００３４】
画像処理装置２２は、例えば、図１に示すように、カメラ２２１、ＴＶモニタ２２２、入力部２２３などを接続している。画像処理装置２２は、カメラ２２１により取得された顔画像情報（アナログビデオ信号）を、デジタル化して、ＥＷＳ２１に出力する。
【００３５】
カメラ２２１は、例えば、オペレータによってカメラ撮影開始ボタン（図示省略）が押下されると、申請者の顔を中心とした胸像を撮影して、申請者の顔画像を撮影する。
【００３６】
ＴＶモニタ２２２は、カメラ２２１により撮影された顔画像を表示する。オペレータは、ＴＶモニタ２２２に表示された顔画像を見て、当該顔画像を、ＩＤカードにプリントする顔画像として確定するか否かを判断することができる。
【００３７】
入力部２２３は、例えば、カーソルキー、文字／数字キー、各種機能キーなどから構成され、オペレータのキー操作に伴う押下信号を画像処理装置２２に出力する。
具体的には、入力部２２３は、例えば、確定手段として、オペレータが、カメラ２２１により撮影されてＴＶモニタ２２２により表示されたＩＤカードの再発行を申請した申請者の第２の顔画像を、ＩＤカードにプリントする顔画像として確定する際に使用される。
【００３８】
ＩＤ番号入力装置２３は、例えば、カーソルキー、文字／数字キー、各種機能キーなどから構成され、オペレータのキー操作に伴う押下信号をＥＷＳ２１に出力する。また、ＩＤ番号入力装置２３は、必要に応じてマウスやタッチパネルなどのポインティングデバイスや、バーコードリーダ、スキャナ、ＯＣＲ装置、磁気読取装置など、その他の入力装置を備えるものとしてもよい。
具体的には、ＩＤ番号入力装置２３は、例えば、入力手段として、オペレータが、ＩＤカードの再発行を申請した申請者のＩＤ番号を入力する際に使用される。
【００３９】
ＩＤカード発行装置３は、例えば、撮影装置２により撮影された顔画像や、記憶サーバ１１に記憶された個人情報（住所、氏名、国籍・本籍、生年月日など）に基づく画像などを、ＩＤカードにプリントして、ＩＤカードを発行する。
【００４０】
＜処理＞
次に、ＩＤカード再発行システム１０００における処理（ＩＤカード発行処理、ＩＤカード再発行処理）について説明する。
【００４１】
＜ＩＤカード発行処理＞
まず、ＩＤカード再発行システム１０００におけるＩＤカードの発行に関する処理について、図２のフローチャートを参照して説明する。
【００４２】
まず、撮影装置２のオペレータが、ＩＤ番号入力装置２３を操作して、ＩＤカードの発行（１回目の発行）を申請した申請者のＩＤ番号を入力すると（ステップＳ１１）、撮影装置２のＣＰＵ２１１は、画像処理装置２２を制御して、カメラ２２１により当該申請者の顔画像（第１の顔画像）を撮影させ（ステップＳ１２）、当該撮影の際の撮影条件を取得させる（ステップＳ１３）。
【００４３】
次いで、ＣＰＵ２１１は、記憶サーバ１１を接続するホストコンピュータ１に、ステップＳ１１で入力されたＩＤ番号と、ステップＳ１２で撮影された第１の顔画像と、ステップＳ１３で取得された撮影条件と、を送信する（ステップＳ１４）。
【００４４】
撮影装置２のＣＰＵ２１１から送信されたＩＤ番号、第１の顔画像及び撮影条件を受信すると（ステップＳ１５）、ホストコンピュータ１は、記憶サーバ１１に格納された顔画像データベース１１１に、当該受信したＩＤ番号と第１の顔画像と撮影条件とを対応付けて記憶させ（ステップＳ１６）、本処理を終了する。
【００４５】
＜ＩＤカード再発行処理＞
次に、ＩＤカード再発行システム１０００におけるＩＤカードの再発行に関する処理について、図３のフローチャートを参照して説明する。
【００４６】
まず、撮影装置２のオペレータが、ＩＤ番号入力装置２３を操作して、ＩＤカードの再発行（２回目以降の発行）を申請した申請者のＩＤ番号を入力すると（ステップＳ２１）、撮影装置２のＣＰＵ２１１は、要求プログラム２１３１を実行して、記憶サーバ１１を接続するホストコンピュータ１に、当該入力されたＩＤ番号を送信して、当該入力されたＩＤ番号に対応付けられた第１の顔画像及び撮影条件を送信するよう要求する（ステップＳ２２）。
【００４７】
撮影装置２のＣＰＵ２１１から送信されたＩＤ番号を受信すると（ステップＳ２３）、ホストコンピュータ１は、記憶サーバ１１に格納された取得送信プログラム１１２を実行して、記憶サーバ１１に格納された顔画像データベース１１１から、当該受信したＩＤ番号に対応付けられた第１の顔画像及び撮影条件を取得して（ステップＳ２４）、撮影装置２に送信する（ステップＳ２５）。
【００４８】
ホストコンピュータ１から送信された第１の顔画像及び撮影条件を受信すると（ステップＳ２６）、撮影装置２のＣＰＵ２１１は、抽出プログラム２１３３を実行して、当該受信した第１の顔画像から、第１の特徴量を抽出する（ステップＳ２７）。
【００４９】
また、第１の顔画像の要求とは別個に、ＣＰＵ２１１は、画像処理装置２２を制御して、カメラ２２１により申請者の顔画像（第２の顔画像）を撮影させる（ステップＳ２８）。
【００５０】
次いで、ＣＰＵ２１１は、ステップＳ２８で撮影された第２の顔画像が、撮影装置２のオペレータによる入力部２２３の操作によって、確定されたか否かを判断する（ステップＳ２９）。
【００５１】
ステップＳ２９で、第２の顔画像が確定されていないと判断すると（ステップＳ２９；Ｎｏ）、ＣＰＵ２１１は、ステップＳ２８の処理を繰り返して行う。
【００５２】
一方、ステップＳ２９で、第２の顔画像が確定されたと判断すると（ステップＳ２９；Ｙｅｓ）、ＣＰＵ２１１は、補正プログラム２１３２を実行して、ステップＳ２６で受信した撮影条件に基づいて、当該確定された第２の顔画像を、当該受信した撮影条件で撮影した場合に合わせるように補正する（ステップＳ３０）。
【００５３】
次いで、ＣＰＵ２１１は、抽出プログラム２１３３を実行して、ステップＳ３０で補正した第２の顔画像から、第２の特徴量を抽出する（ステップＳ３１）。
【００５４】
次いで、ＣＰＵ２１１は、判定プログラム２１３４を実行して、ステップＳ２７で抽出した第１の特徴量と、ステップＳ３１で抽出した第２の特徴量と、を比較して（ステップＳ３２）、ＩＤカードの再発行を申請した申請者が本人であるか否かを判定する（ステップＳ３３）。
【００５５】
ステップＳ３３で、ＩＤカードの再発行を申請した申請者が本人でないと判定すると（ステップＳ３３；Ｎｏ）、ＣＰＵ２１１は、例えば、画像処理装置２２を制御して、ＴＶモニタ２２２に警告画面を表示させるなどして、撮影装置２のオペレータに申請者が本人でない旨を報知して（ステップＳ３４）、本処理を終了する。
【００５６】
一方、ステップＳ３３で、ＩＤカードの再発行を申請した申請者が本人であると判定すると（ステップＳ３３；Ｙｅｓ）、ＣＰＵ２１１は、ステップＳ２１で入力されたＩＤ番号と、ステップＳ２９で確定された第２の顔画像と、をＩＤカード発行装置３に送信して（ステップＳ３５）、本処理を終了する。
【００５７】
その後、ＩＤカード発行装置３において、例えば、ステップＳ３５で送信されたＩＤ番号及び第２の顔画像や、記憶サーバ１１に記憶された個人情報（住所、氏名、国籍・本籍、生年月日など）に基づく画像などが、ＩＤカードにプリントされて、ＩＤカードが再発行される。
【００５８】
以上説明した第１の実施の形態のＩＤカード再発行システム１０００によれば、第１の顔画像と第２の顔画像とが略同一の撮影条件で撮影されたかのように、補正プログラム２１３２を実行したＣＰＵ２１１によって第２の顔画像を補正することができる。また、ＩＤカードの再発行の際に、ＣＰＵ２１１は、抽出プログラム２１３３を実行して第１の特徴量を抽出するとともに、第２の抽出量を抽出するため、第１の特徴量の抽出条件と第２の特徴量との抽出条件が同一である。したがって、発行時の顔画像（第１の顔画像）に基づく第１の特徴量と、再発行時の顔画像（第２の顔画像）に基づく第２の特徴量と、をより正確に比較することができることとなって、ＩＤカードの不正発行をより確実に防止することができる。
【００５９】
また、第２の顔画像が確定された後に、補正プログラム２１３２を実行したＣＰＵ２１１によって第２の顔画像の補正を行うことができる。すなわち、第２の顔画像の補正と、第２の特徴量の抽出と、第１の特徴量と第２の特徴量との比較と、が一回のみで済むこととなって、ＩＤカードの再発行を申請した申請者が本人であるか否かの判定が効率よく行われる。
【００６０】
[第２の実施の形態]
次に、第２の実施の形態について説明する。
【００６１】
＜ＩＤカード再発行システムの構成＞
まず、ＩＤカード再発行システム１０００ａの構成を、図４を参照して説明する。
なお、第２の実施の形態のＩＤカード再発行システム１０００ａは、第２の顔画像が撮影される度に本人か否かを判定する点においてのみ、第１の実施の形態のＩＤカード再発行システム１０００（図１）と異なる。したがって、異なる箇所のみについて説明し、その他の共通する部分は同一符号を付して説明する。
【００６２】
ＩＤカード再発行システム１０００ａは、例えば、図４に示すように、記憶サーバ１１を接続するホストコンピュータ１、撮影装置２ａ、ＩＤカード発行装置３などを備えて構成される。ホストコンピュータ１と、撮影装置２ａと、ＩＤカード発行装置３とは、ネットワークを介して接続されており、互いに通信可能となっている。
【００６３】
撮影装置２ａのＥＷＳ２１ａの記憶部２１３ａには、例えば、図４に示すように、要求プログラム２１３１、補正プログラム２１３２ａ、抽出プログラム２１３３、判定プログラム２１３４などが格納されている。
【００６４】
補正プログラム２１３２ａは、ＩＤカードの再発行（２回目以降の発行）時に、ＣＰＵ２１１に、要求プログラム２１３１を実行したＣＰＵ２１１による要求に従って取得送信プログラム１１２を実行したホストコンピュータ１により送信された撮影条件に基づいて、撮影装置２ａ（カメラ２２１）により撮影されたＩＤカードの再発行を申請した申請者の第２の顔画像を、当該撮影条件で撮影した場合に合わせるように補正する機能を実現させる。
具体的には、撮影装置２ａのオペレータによる入力部２２３の操作によって、カメラ２２１により撮影された第２の顔画像が確定されるまで、カメラ２２１により第２の顔画像が撮影される度に、ＣＰＵ２１１は、補正プログラム２１３２ａを実行して、取得送信プログラム１１２を実行したホストコンピュータ１により送信された撮影条件に基づいて、当該撮影された第２の顔画像を、当該送信された撮影条件で撮影した場合に合わせるように補正する。
ここで、ＣＰＵ２１１は、例えば、第１の顔画像を撮影した際の撮影条件に対応した補正テーブルや補正計算式などを用いて、第２の顔画像の補正を行う。なお、補正テーブルや補正計算式などは、記憶部２１３ａに記憶されていることとする。
ＣＰＵ２１１は、かかる補正プログラム２１３２ａを実行することによって、補正手段として機能する。
【００６５】
＜処理＞
次に、ＩＤカード再発行システム１０００ａにおける処理（ＩＤカード発行処理、ＩＤカード再発行処理）について説明する。
【００６６】
＜ＩＤカード発行処理＞
ＩＤカード再発行システム１０００ａにおけるＩＤカードの発行に関する処理は、ＩＤカード再発行システム１０００におけるＩＤカードの発行に関する処理（図２）と同一であるため、説明を省略する。
【００６７】
＜ＩＤカード再発行処理＞
次に、ＩＤカード再発行システム１０００ａにおけるＩＤカードの再発行に関する処理について、図５のフローチャートを参照して説明する。
【００６８】
まず、撮影装置２ａのオペレータが、ＩＤ番号入力装置２３を操作して、ＩＤカードの再発行（２回目以降の発行）を申請した申請者のＩＤ番号を入力すると（ステップＳ４１）、撮影装置２ａのＣＰＵ２１１は、要求プログラム２１３１を実行して、記憶サーバ１１を接続するホストコンピュータ１に、当該入力されたＩＤ番号を送信して、当該入力されたＩＤ番号に対応付けられた第１の顔画像及び撮影条件を送信するよう要求する（ステップＳ４２）。
【００６９】
撮影装置２ａのＣＰＵ２１１から送信されたＩＤ番号を受信すると（ステップＳ４３）、ホストコンピュータ１は、記憶サーバ１１に格納された取得送信プログラム１１２を実行して、記憶サーバ１１に格納された顔画像データベース１１１から、当該受信したＩＤ番号に対応付けられた第１の顔画像及び撮影条件を取得して（ステップＳ４４）、撮影装置２ａに送信する（ステップＳ４５）。
【００７０】
ホストコンピュータ１から送信された第１の顔画像及び撮影条件を受信すると（ステップＳ４６）、撮影装置２ａのＣＰＵ２１１は、抽出プログラム２１３３を実行して、当該受信した第１の顔画像から、第１の特徴量を抽出する（ステップＳ４７）。
【００７１】
次いで、ＣＰＵ２１１は、画像処理装置２２を制御して、カメラ２２１により申請者の顔画像（第２の顔画像）を撮影させる（ステップＳ４８）。
【００７２】
次いで、ＣＰＵ２１１は、補正プログラム２１３２ａを実行して、ステップＳ４６で受信した撮影条件に基づいて、ステップＳ４８で撮影された第２の顔画像を、当該受信した撮影条件で撮影した場合に合わせるように補正する（ステップＳ４９）。
【００７３】
次いで、ＣＰＵ２１１は、抽出プログラム２１３３を実行して、ステップＳ４９で補正した第２の顔画像から、第２の特徴量を抽出する（ステップＳ５０）。
【００７４】
次いで、ＣＰＵ２１１は、判定プログラム２１３４を実行して、ステップＳ４７で抽出した第１の特徴量と、ステップＳ５０で抽出した第２の特徴量と、を比較して、ＩＤカードの再発行を申請した申請者が本人であるか否かを判定する（ステップＳ５１）。
【００７５】
次いで、ＣＰＵ２１１は、ステップＳ４８で撮影された第２の顔画像が、撮影装置２ａのオペレータによる入力部２２３の操作によって、確定されたか否かを判断する（ステップＳ５２）。
【００７６】
ステップＳ５２で、第２の顔画像が確定されていないと判断すると（ステップＳ５２；Ｎｏ）、ＣＰＵ２１１は、ステップＳ４８以降の処理を繰り返して行う。
【００７７】
一方、ステップＳ５２で、第２の顔画像が確定されたと判断すると（ステップＳ５２；Ｙｅｓ）、ＣＰＵ２１１は、ステップＳ５１において、ＩＤカードの再発行を申請した申請者が本人でないと判定したか、本人であると判定したか、を判別する（ステップＳ５３）。
【００７８】
ステップＳ５３で、ステップＳ５１において、ＩＤカードの再発行を申請した申請者が本人でないと判定したと判別すると（ステップＳ５３；Ｎｏ）、ＣＰＵ２１１は、例えば、画像処理装置２２を制御して、ＴＶモニタ２２２に警告画面を表示させるなどして、撮影装置２ａのオペレータに申請者が本人でない旨を報知して（ステップＳ５４）、本処理を終了する。
【００７９】
一方、ステップＳ５３で、ステップＳ５１において、ＩＤカードの再発行を申請した申請者が本人であると判定したと判別すると（ステップＳ５３；Ｙｅｓ）、ＣＰＵ２１１は、ステップＳ４１で入力されたＩＤ番号と、ステップＳ５２で確定された第２の顔画像と、をＩＤカード発行装置３に送信して（ステップＳ５５）、本処理を終了する。
【００８０】
その後、ＩＤカード発行装置３において、例えば、ステップＳ５５で送信されたＩＤ番号及び第２の顔画像や、記憶サーバ１１に記憶された個人情報（住所、氏名、国籍・本籍、生年月日など）に基づく画像などが、ＩＤカードにプリントされて、ＩＤカードが再発行される。
【００８１】
以上説明した第２の実施の形態のＩＤカード再発行システム１０００ａによれば、第１の顔画像と第２の顔画像とが略同一の撮影条件で撮影されたかのように、補正プログラム２１３２ａを実行したＣＰＵ２１１によって第２の顔画像を補正することができる。また、ＩＤカードの再発行の際に、ＣＰＵ２１１は、抽出プログラム２１３３を実行して第１の特徴量を抽出するとともに、第２の抽出量を抽出するため、第１の特徴量の抽出条件と第２の特徴量との抽出条件が同一である。したがって、発行時の顔画像に基づく第１の特徴量と、再発行時の顔画像に基づく第２の特徴量と、をより正確に比較することができることとなって、ＩＤカードの不正発行をより確実に防止することができる。
【００８２】
また、第２の顔画像が確定されるまで、カメラ２２１により第２の顔画像が撮影される度に、補正プログラム２１３２ａを実行したＣＰＵ２１１によって第２の顔画像の補正を行うことができる。すなわち、撮影と略同時に、第２の顔画像の補正と、第２の特徴量の抽出と、第１の特徴量と第２の特徴量との比較と、が行われることとなって、ＩＤカードの再発行が効率よく行われる。また、第１の特徴量と第２の特徴量の比較が、複数回、行われるため、より正確に、申請者が本人であるか否かの判定を行うことができる。
【００８３】
[第３の実施の形態]
次に、第３の実施の形態について説明する。
【００８４】
＜ＩＤカード再発行システムの構成＞
まず、ＩＤカード再発行システム１０００ｂの構成を、図６を参照して説明する。
なお、第３の実施の形態のＩＤカード再発行システム１０００ｂの特徴は、第１の実施の形態のＩＤカード再発行システム１０００（図１）における、記憶サーバ１１が異なる点、撮影装置２のＥＷＳ２１の記憶部２１３が異なる点である。したがって、異なる箇所のみについて説明し、その他の共通する部分は同一符号を付して説明する。
【００８５】
ＩＤカード再発行システム１０００ｂは、例えば、図６に示すように、記憶サーバ１１ｂを接続するホストコンピュータ１、撮影装置２ｂ、ＩＤカード発行装置３などを備えて構成される。ホストコンピュータ１と、撮影装置２ｂと、ＩＤカード発行装置３とは、ネットワークを介して接続されており、互いに通信可能となっている。
【００８６】
記憶サーバ１１ｂには、例えば、図６に示すように、特徴量データベース１１３ｂや取得送信プログラム１１２ｂなどが格納されている。さらに、記憶サーバ１１ｂには、例えば、申請者の個人情報（住所、氏名、国籍・本籍、生年月日など）なども記憶されている。
【００８７】
特徴量データベース１１３ｂは、特徴量記憶手段、抽出条件記憶手段及び撮影条件記憶手段として、申請者を識別するＩＤ番号と、当該申請者の第１の顔画像から抽出した顔の特徴を示す第１の特徴量と、当該申請者の第１の顔画像から第１の特徴量を抽出した際の抽出条件と、当該申請者の第１の顔画像を撮影装置２ｂ（カメラ２２１）により撮影した際の撮影条件と、を対応付けて記憶する。
ここで、抽出条件とは、例えば、第１の顔画像から第１の特徴量を抽出した際における、ハードウエアのバージョン、ソフトウエアの種類、特徴量の抽出方法、抽出した特徴量の種類、特徴量の種類とそれぞれの種類に対応する特徴量などである。
【００８８】
取得送信プログラム１１２ｂは、ＩＤカードの再発行（２回目以降の発行）時に、ホストコンピュータ１に、撮影装置２ｂからの要求に基づいて、要求された第１の特徴量、抽出条件及び撮影条件を、特徴量データベース１１３ｂから取得して送信する機能を実現させる。
ホストコンピュータ１は、かかる取得送信プログラム１１２ｂを実行することによって、特徴量取得送信手段、抽出条件取得送信手段及び撮影条件取得送信手段として機能する。
【００８９】
撮影装置２ｂのＥＷＳ２１ｂの記憶部２１３ｂには、例えば、図６に示すように、要求プログラム２１３１ｂ、補正プログラム２１３２ｂ、抽出プログラム２１３３ｂ、判定プログラム２１３４ｂなどが格納されている。
【００９０】
要求プログラム２１３１ｂは、ＩＤカードの再発行（２回目以降の発行）時に、ＣＰＵ２１１に、記憶サーバ１１ｂを接続するホストコンピュータ１に、ＩＤ番号入力装置２３により入力されたＩＤ番号に対応付けられた第１の特徴量、抽出条件及び撮影条件を送信するよう要求する機能を実現させる。
ＣＰＵ２１１は、かかる特徴量要求プログラム２１３１ｂを実行することによって、特徴量要求手段、抽出条件要求手段及び撮影条件要求手段として機能する。
【００９１】
補正プログラム２１３２ｂは、ＩＤカードの再発行（２回目以降の発行）時に、ＣＰＵ２１１に、要求プログラム２１３１ｂを実行したＣＰＵ２１１による要求に従って取得送信プログラム１１２ｂを実行したホストコンピュータ１により送信された撮影条件に基づいて、撮影装置２ｂ（カメラ２２１）により撮影されたＩＤカードの再発行を申請した申請者の第２の顔画像を、当該撮影条件で撮影した場合に合わせるように補正する機能を実現させる。
具体的には、撮影装置２ｂのオペレータによる入力部２２３の操作によって、カメラ２２１により撮影された第２の顔画像が確定されると、ＣＰＵ２１１は、補正プログラム２１３２ｂを実行して、取得送信プログラム１１２ｂを実行したホストコンピュータ１により送信された撮影条件に基づいて、当該確定された第２の顔画像を、当該送信された撮影条件で撮影した場合に合わせるように補正する。
ここで、ＣＰＵ２１１は、例えば、第１の顔画像を撮影した際の撮影条件に対応した補正テーブルや補正計算式などを用いて、第２の顔画像の補正を行う。なお、補正テーブルや補正計算式などは、記憶部２１３ｂに記憶されていることとする。
ＣＰＵ２１１は、かかる補正プログラム２１３２ｂを実行することによって、補正手段として機能する。
【００９２】
抽出プログラム２１３３ｂは、ＩＤカードの再発行（２回目以降の発行）時に、ＣＰＵ２１１に、ＩＤカードの再発行を申請した申請者の第２の顔画像から、要求プログラム２１３１ｂを実行したＣＰＵ２１１による要求に従って取得送信プログラム１１２ｂを実行したホストコンピュータ１により送信された抽出条件に基づいて、顔の特徴を示す第２の特徴量を抽出する機能を実現させる。
具体的には、補正プログラム２１３２ｂを実行したＣＰＵ２１１が、第２の顔画像を補正すると、ＣＰＵ２１１は、抽出プログラム２１３３ｂを実行して、当該補正された第２の顔画像から、要求プログラム２１３１ｂを実行したＣＰＵ２１１による要求に従って取得送信プログラム１１２ｂを実行したホストコンピュータ１により送信された抽出条件に基づいて、第２の特徴量を抽出する。したがって、第１の顔画像から抽出された第１の特徴量と、補正された第２の顔画像から抽出された第２の特徴量とは、略同一の抽出条件で抽出されることとなる。
ＣＰＵ２１１は、かかる抽出プログラム２１３３ｂを実行することによって、抽出手段として機能する。
【００９３】
判定プログラム２１３４ｂは、ＩＤカードの再発行（２回目以降の発行）時に、ＣＰＵ２１１に、要求プログラム２１３１ｂを実行したＣＰＵ２１１による要求に従って取得送信プログラム１１２ｂを実行したホストコンピュータ１により送信された第１の特徴量と、抽出プログラム２１３３ｂを実行したＣＰＵ２１１により抽出された第２の特徴量と、を比較して、ＩＤカードの再発行を申請した申請者が本人であるか否かを判定する機能を実現させる。
ここで、ＣＰＵ２１１は、例えば、第１の特徴量と第２の特徴量とが、所定の誤差範囲内で一致した場合に、申請者は本人であると判定する。
ＣＰＵ２１１は、かかる判定プログラム２１３４ｂを実行することによって、判定手段として機能する。
【００９４】
＜処理＞
次に、ＩＤカード再発行システム１０００ｂにおける処理（ＩＤカード発行処理、ＩＤカード再発行処理）について説明する。
【００９５】
＜ＩＤカード発行処理＞
まず、ＩＤカード再発行システム１０００ｂにおけるＩＤカードの発行に関する処理について、図７のフローチャートを参照して説明する。
【００９６】
まず、撮影装置２ｂのオペレータが、ＩＤ番号入力装置２３を操作して、ＩＤカードの発行（１回目の発行）を申請した申請者のＩＤ番号を入力すると（ステップＳ６１）、撮影装置２ｂのＣＰＵ２１１は、画像処理装置２２を制御して、カメラ２２１により当該申請者の顔画像（第１の顔画像）を撮影させ（ステップＳ６２）、当該撮影の際の撮影条件を取得させる（ステップＳ６３）。
【００９７】
次いで、ＣＰＵ２１１は、ステップＳ６２で撮影された第１の顔画像から、第１の特徴量を抽出し（ステップＳ６４）、当該抽出の際の抽出条件を取得する（ステップＳ６５）。
【００９８】
次いで、ＣＰＵ２１１は、記憶サーバ１１ｂを接続するホストコンピュータ１に、ステップＳ６１で入力されたＩＤ番号と、ステップＳ６３で取得された撮影条件と、ステップＳ６４で抽出した第１の特徴量と、ステップＳ６５で取得した抽出条件と、を送信する（ステップＳ６６）。
【００９９】
撮影装置２ｂのＣＰＵ２１１から送信されたＩＤ番号、撮影条件、第１の特徴量及び抽出条件を受信すると（ステップＳ６７）、ホストコンピュータ１は、記憶サーバ１１ｂに格納された特徴量データベース１１３ｂに、当該受信したＩＤ番号と撮影条件と第１の特徴量と抽出条件とを対応付けて記憶させ（ステップＳ６８）、本処理を終了する。
【０１００】
＜ＩＤカード再発行処理＞
次に、ＩＤカード再発行システム１０００ｂにおけるＩＤカードの再発行に関する処理について、図８のフローチャートを参照して説明する。
【０１０１】
まず、撮影装置２ｂのオペレータが、ＩＤ番号入力装置２３を操作して、ＩＤカードの再発行（２回目以降の発行）を申請した申請者のＩＤ番号を入力すると（ステップＳ７１）、撮影装置２ｂのＣＰＵ２１１は、要求プログラム２１３１ｂを実行して、記憶サーバ１１ｂを接続するホストコンピュータ１に、当該入力されたＩＤ番号を送信して、当該入力されたＩＤ番号に対応付けられた撮影条件、第１の特徴量及び抽出条件を送信するよう要求する（ステップＳ７２）。
【０１０２】
撮影装置２ｂのＣＰＵ２１１から送信されたＩＤ番号を受信すると（ステップＳ７３）、ホストコンピュータ１は、記憶サーバ１１ｂに格納された取得送信プログラム１１２ｂを実行して、記憶サーバ１１ｂに格納された特徴量データベース１１３ｂから、当該受信したＩＤ番号に対応付けられた撮影条件、第１の特徴量及び抽出条件を取得して（ステップＳ７４）、撮影装置２ｂに送信する（ステップＳ７５）。
【０１０３】
そして、撮影装置２ｂのＣＰＵ２１１は、ホストコンピュータ１から送信された撮影条件、第１の特徴量及び抽出条件を受信する（ステップＳ７６）。
【０１０４】
また、第１の特徴量などの要求とは別個に、ＣＰＵ２１１は、画像処理装置２２を制御して、カメラ２２１により当該申請者の顔画像（第２の顔画像）を撮影させる（ステップＳ７７）。
【０１０５】
次いで、ＣＰＵ２１１は、ステップＳ７７で撮影された第２の顔画像が、撮影装置２ｂのオペレータによる入力部２２３の操作によって、確定されたか否かを判断する（ステップＳ７８）。
【０１０６】
ステップＳ７８で、第２の顔画像が確定されていないと判断すると（ステップＳ７８；Ｎｏ）、ＣＰＵ２１１は、ステップＳ７７の処理を繰り返して行う。
【０１０７】
一方、ステップＳ７８で、第２の顔画像が確定されたと判断すると（ステップＳ７８；Ｙｅｓ）、ＣＰＵ２１１は、補正プログラム２１３２ｂを実行して、ステップＳ７６で受信した撮影条件に基づいて、当該確定された第２の顔画像を、当該受信した撮影条件で撮影した場合に合わせるように補正する（ステップＳ７９）。
【０１０８】
次いで、ＣＰＵ２１１は、抽出プログラム２１３３ｂを実行して、ステップＳ７９で補正した第２の顔画像から、ステップＳ７６で受信した抽出条件に基づいて、第２の特徴量を抽出する（ステップＳ８０）。
【０１０９】
次いで、ＣＰＵ２１１は、判定プログラム２１３４ｂを実行して、ステップＳ７６で受信した第１の特徴量と、ステップＳ８０で抽出した第２の特徴量と、を比較して（ステップＳ８１）、ＩＤカードの再発行を申請した申請者が本人であるか否かを判定する（ステップＳ８２）。
【０１１０】
ステップＳ８２で、ＩＤカードの再発行を申請した申請者が本人でないと判定すると（ステップＳ８２；Ｎｏ）、ＣＰＵ２１１は、例えば、画像処理装置２２を制御して、ＴＶモニタ２２２に警告画面を表示させるなどして、撮影装置２ｂのオペレータに申請者が本人でない旨を報知して（ステップＳ８３）、本処理を終了する。
【０１１１】
一方、ステップＳ８２で、ＩＤカードの再発行を申請した申請者が本人であると判定すると（ステップＳ８２；Ｙｅｓ）、ＣＰＵ２１１は、ステップＳ７１で入力されたＩＤ番号と、ステップＳ７８で確定された第２の顔画像と、をＩＤカード発行装置３に送信して（ステップＳ８４）、本処理を終了する。
【０１１２】
その後、ＩＤカード発行装置３において、例えば、ステップＳ８４で送信されたＩＤ番号及び第２の顔画像や、記憶サーバ１１ｂに記憶された個人情報（住所、氏名、国籍・本籍、生年月日など）に基づく画像などが、ＩＤカードにプリントされて、ＩＤカードが再発行される。
【０１１３】
以上説明した第３の実施の形態のＩＤカード再発行システム１０００ｂによれば、第１の顔画像と第２の顔画像とが略同一の撮影条件で撮影されたかのように、補正プログラム２１３２ｂを実行したＣＰＵ２１１によって第２の顔画像を補正することができる。さらに、第１の特徴量と第２の特徴量とが略同一の抽出条件で抽出されたかのように、抽出プログラム２１３３ｂを実行したＣＰＵ２１１によって第２の特徴量を抽出することができる。したがって、発行時の顔画像（第１の顔画像）に基づく第１の特徴量と、再発行時の顔画像（第２の顔画像）に基づく第２の特徴量と、をより正確に比較することができることとなって、ＩＤカードの不正発行をより確実に防止することができる。また、発行時には、第１の特徴量と抽出条件とを記憶しておくだけなので、第１の顔画像を記憶しておく場合と比較してデータ量を少なくすることができるため、データ管理にかかる負担、データ転送やデータ検索にかかる時間、などを軽減することができる。
【０１１４】
また、第２の顔画像が確定された後に、補正プログラム２１３２ｂを実行したＣＰＵ２１１によって第２の顔画像の補正を行うことができる。すなわち、第２の顔画像の補正と、第２の特徴量の抽出と、第１の特徴量と第２の特徴量との比較と、が一回のみで済むこととなって、ＩＤカードの再発行を申請した申請者が本人であるか否かの判定が効率よく行われる。
【０１１５】
[第４の実施の形態]
次に、第４の実施の形態について説明する。
【０１１６】
＜ＩＤカード再発行システムの構成＞
まず、ＩＤカード再発行システム１０００ｃの構成を、図９を参照して説明する。
なお、第４の実施の形態のＩＤカード再発行システム１０００ｃのは、第２の顔画像が撮影される度に本人か否かを判定する点においてのみ、第３の実施の形態のＩＤカード再発行システム１０００ｂ（図６）と異なる。したがって、異なる箇所のみについて説明し、その他の共通する部分は同一符号を付して説明する。
【０１１７】
ＩＤカード再発行システム１０００ｃは、例えば、図９に示すように、記憶サーバ１１ｂを接続するホストコンピュータ１、撮影装置２ｃ、ＩＤカード発行装置３などを備えて構成される。ホストコンピュータ１と、撮影装置２ｃと、ＩＤカード発行装置３とは、ネットワークを介して接続されており、互いに通信可能となっている。
【０１１８】
撮影装置２ｃのＥＷＳ２１ｃの記憶部２１３ｃには、例えば、図９に示すように、要求プログラム２１３１ｂ、補正プログラム２１３２ｃ、抽出プログラム２１３３ｂ、判定プログラム２１３４ｂなどが格納されている。
【０１１９】
補正プログラム２１３２ｃは、ＩＤカードの再発行（２回目以降の発行）時に、ＣＰＵ２１１に、要求プログラム２１３１ｂを実行したＣＰＵ２１１による要求に従って取得送信プログラム１１２ｂを実行したホストコンピュータ１により送信された撮影条件に基づいて、撮影装置２ｃ（カメラ２２１）により撮影されたＩＤカードの再発行を申請した申請者の第２の顔画像を、当該撮影条件で撮影した場合に合わせるように補正する機能を実現させる。
具体的には、撮影装置２ｃのオペレータによる入力部２２３の操作によって、カメラ２２１により撮影された第２の顔画像が確定されるまで、カメラ２２１により第２の顔画像が撮影される度に、ＣＰＵ２１１は、補正プログラム２１３２ｃを実行して、取得送信プログラム１１２ｂを実行したホストコンピュータ１により送信された撮影条件に基づいて、当該撮影された第２の顔画像を、当該送信された撮影条件で撮影した場合に合わせるように補正する。
ここで、ＣＰＵ２１１は、例えば、第１の顔画像を撮影した際の撮影条件に対応した補正テーブルや補正計算式などを用いて、第２の顔画像の補正を行う。なお、補正テーブルや補正計算式などは、記憶部２１３ｃに記憶されていることとする。
ＣＰＵ２１１は、かかる補正プログラム２１３２ｃを実行することによって、補正手段として機能する。
【０１２０】
＜処理＞
次に、ＩＤカード再発行システム１０００ｃにおける処理（ＩＤカード発行処理、ＩＤカード再発行処理）について説明する。
【０１２１】
＜ＩＤカード発行処理＞
ＩＤカード再発行システム１０００ｃにおけるＩＤカードの発行に関する処理は、ＩＤカード再発行システム１０００ｂにおけるＩＤカードの発行に関する処理（図７）と同一であるため、説明を省略する。
【０１２２】
＜ＩＤカード再発行処理＞
次に、ＩＤカード再発行システム１０００ｃにおけるＩＤカードの再発行に関する処理について、図１０のフローチャートを参照して説明する。
【０１２３】
まず、撮影装置２ｃのオペレータが、ＩＤ番号入力装置２３を操作して、ＩＤカードの再発行（２回目以降の発行）を申請した申請者のＩＤ番号を入力すると（ステップＳ９１）、撮影装置２ｃのＣＰＵ２１１は、要求プログラム２１３１ｂを実行して、記憶サーバ１１ｂを接続したホストコンピュータ１に、当該入力されたＩＤ番号を送信して、当該入力されたＩＤ番号に対応付けられた撮影条件、第１の特徴量及び抽出条件を送信するよう要求する（ステップＳ９２）。
【０１２４】
撮影装置２ｃのＣＰＵ２１１から送信されたＩＤ番号を受信すると（ステップＳ９３）、ホストコンピュータ１は、記憶サーバ１１ｂに格納された取得送信プログラム１１２ｂを実行して、記憶サーバ１１ｂに格納された特徴量データベース１１３ｂから、当該受信したＩＤ番号に対応付けられた撮影条件、第１の特徴量及び抽出条件を取得して（ステップＳ９４）、撮影装置２ｃに送信する（ステップＳ９５）。
【０１２５】
ホストコンピュータ１から送信された撮影条件、第１の特徴量及び抽出条件を受信すると（ステップＳ９６）、撮影装置２ｃのＣＰＵ２１１は、画像処理装置２２を制御して、カメラ２２１により申請者の顔画像（第２の顔画像）を撮影させる（ステップＳ９７）。
【０１２６】
次いで、ＣＰＵ２１１は、補正プログラム２１３２ｃを実行して、ステップＳ９６で受信した撮影条件に基づいて、ステップＳ９７で撮影された第２の顔画像を、当該受信した撮影条件で撮影した場合に合わせるように補正する（ステップＳ９８）。
【０１２７】
次いで、ＣＰＵ２１１は、抽出プログラム２１３３ｂを実行して、ステップＳ９８で補正した第２の顔画像から、ステップＳ９６で受信した抽出条件に基づいて、第２の特徴量を抽出する（ステップＳ９９）。
【０１２８】
次いで、ＣＰＵ２１１は、判定プログラム２１３４ｂを実行して、ステップＳ９６で受信した第１の特徴量と、ステップＳ９９で抽出した第２の特徴量と、を比較して、ＩＤカードの再発行を申請した申請者が本人であるか否かを判定する（ステップＳ１００）。
【０１２９】
次いで、ＣＰＵ２１１は、ステップＳ９７で撮影された第２の顔画像が、撮影装置２ｃのオペレータによる入力部２２３の操作によって、確定されたか否かを判断する（ステップＳ１０１）。
【０１３０】
ステップＳ１０１で、第２の顔画像が確定されていないと判断すると（ステップＳ１０１；Ｎｏ）、ＣＰＵ２１１は、ステップＳ９７以降の処理を繰り返して行う。
【０１３１】
一方、ステップＳ１０１で、第２の顔画像が確定されたと判断すると（ステップＳ１０１；Ｙｅｓ）、ＣＰＵ２１１は、ステップＳ１００において、ＩＤカードの再発行を申請した申請者が本人でないと判定したか、本人であると判定したか、を判別する（ステップＳ１０２）。
【０１３２】
ステップＳ１０２で、ステップＳ１００において、ＩＤカードの再発行を申請した申請者が本人でないと判定したと判別すると（ステップＳ１０２；Ｎｏ）、ＣＰＵ２１１は、例えば、画像処理装置２２を制御して、ＴＶモニタ２２２に警告画面を表示させるなどして、撮影装置２ｃのオペレータに申請者が本人でない旨を報知して（ステップＳ１０３）、本処理を終了する。
【０１３３】
一方、ステップＳ１０２で、ステップＳ１００において、ＩＤカードの再発行を申請した申請者が本人であると判定したと判別すると（ステップＳ１０２；Ｙｅｓ）、ＣＰＵ２１１は、ステップＳ９１で入力されたＩＤ番号と、ステップＳ１０１で確定された第２の顔画像と、をＩＤカード発行装置３に送信して（ステップＳ１０４）、本処理を終了する。
【０１３４】
その後、ＩＤカード発行装置３において、例えば、ステップＳ１０４で送信されたＩＤ番号及び第２の顔画像や、記憶サーバ１１ｂに記憶された個人情報（住所、氏名、国籍・本籍、生年月日など）に基づく画像などが、ＩＤカードにプリントされて、ＩＤカードが再発行される。
【０１３５】
以上説明した第４の実施の形態のＩＤカード再発行システム１０００ｃによれば、第１の顔画像と第２の顔画像とが略同一の撮影条件で撮影されたかのように、補正プログラム２１３２ｃを実行したＣＰＵ２１１によって第２の顔画像を補正することができる。さらに、第１の特徴量と第２の特徴量とが略同一の抽出条件で抽出されたかのように、抽出プログラム２１３３ｂを実行したＣＰＵ２１１によって第２の特徴量を抽出することができる。したがって、発行時の顔画像（第１の顔画像）に基づく第１の特徴量と、再発行時の顔画像（第２の顔画像）に基づく第２の特徴量と、をより正確に比較することができることとなって、ＩＤカードの不正発行をより確実に防止することができる。また、発行時には、第１の特徴量と抽出条件とを記憶しておくだけなので、第１の顔画像を記憶しておく場合と比較してデータ量を少なくすることができるため、データ管理にかかる負担、データ転送やデータ検索にかかる時間、などを軽減することができる。
【０１３６】
また、第２の顔画像が確定されるまで、カメラ２２１により第２の顔画像が撮影される度に、補正プログラム２１３２ｃを実行したＣＰＵ２１１によって第２の顔画像の補正を行うことができる。すなわち、撮影と略同時に、第２の顔画像の補正と、第２の特徴量の抽出と、第１の特徴量と第２の特徴量との比較と、が行われることとなって、ＩＤカードの再発行が効率よく行われる。また、第１の特徴量と第２の特徴量の比較が、複数回、行われるため、より正確に、申請者が本人であるか否かの判定を行うことができる。
【０１３７】
なお、本発明は、上記した実施の形態のものに限るものではなく、その要旨を逸脱しない範囲で適宜変更可能である。
例えば、第１〜４の実施の形態において、撮影装置２，２ａ，２ｂ，２ｃが、顔画像から特徴量を抽出したり、ＩＤカードの再発行を申請した申請者が本人であるか否かを判定する構成としたが、ホストコンピュータ１が、顔画像から特徴量を抽出したり、ＩＤカードの再発行を申請した申請者が本人であるか否かを判定する構成としてもよい。
【０１３８】
第３及び第４の実施の形態において、第１の顔画像を撮影した際の撮影条件に基づいて第２の顔画像を補正し、第１の特徴量を抽出した際の抽出条件に基づいて、当該補正した第２の顔画像から第２の特徴量を抽出するよう構成したが、第１の特徴量を抽出した際の抽出条件に基づいて、第２の特徴量が抽出されるのであれば、必ずしも第１の顔画像を撮影した際の撮影条件に基づいて第２の顔画像を補正する必要はない。
【図面の簡単な説明】
【０１３９】
【図１】本発明の第１の実施の形態における、ＩＤカード再発行システムの全体構成を示す図である。
【図２】本発明の第１の実施の形態及び本発明の第２の実施の形態における、ＩＤカード再発行システムにおけるＩＤカードの発行に関する処理を説明するためのフローチャートである。
【図３】本発明の第１の実施の形態における、ＩＤカード再発行システムにおけるＩＤカードの再発行に関する処理を説明するためのフローチャートである。
【図４】本発明の第２の実施の形態における、ＩＤカード再発行システムの全体構成を示す図である。
【図５】本発明の第２の実施の形態における、ＩＤカード再発行システムにおけるＩＤカードの再発行に関する処理を説明するためのフローチャートである。
【図６】本発明の第３の実施の形態における、ＩＤカード再発行システムの全体構成を示す図である。
【図７】本発明の第３の実施の形態及び本発明の第４の実施の形態における、ＩＤカード再発行システムにおけるＩＤカードの発行に関する処理を説明するためのフローチャートである。
【図８】本発明の第３の実施の形態における、ＩＤカード再発行システムにおけるＩＤカードの再発行に関する処理を説明するためのフローチャートである。
【図９】本発明の第４の実施の形態における、ＩＤカード再発行システムの全体構成を示す図である。
【図１０】本発明の第４の実施の形態における、ＩＤカード再発行システムにおけるＩＤカードの再発行に関する処理を説明するためのフローチャートである。
【符号の説明】
【０１４０】
１  ホストコンピュータ（記憶装置、顔画像取得送信手段、撮影条件取得送信手段、特徴量取得送信手段、抽出条件取得送信手段）
１１，１１ｂ  記憶サーバ（記憶装置）
１１１  顔画像データベース（顔画像記憶手段、撮影条件記憶手段）
１１２  取得送信プログラム（顔画像取得送信手段、撮影条件取得送信手段）
１１２ｂ  取得送信プログラム（特徴量取得送信手段、抽出条件取得送信手段、撮影条件取得送信手段）
１１３ｂ  特徴量データベース（特徴量記憶手段、抽出条件記憶手段、撮影条件記憶手段）
２，２ａ，２ｂ，２ｃ  撮影装置
２３  ＩＤ番号入力装置（入力手段）
２１１  ＣＰＵ（顔画像要求手段、撮影条件要求手段、特徴量要求手段、抽出条件要求手段、補正手段、第１の抽出手段、第２の抽出手段、抽出手段、判定手段）
２２３  入力部（確定手段）
２１３１  要求プログラム（顔画像要求手段、撮影条件要求手段）
２１３１ｂ  要求プログラム（特徴量要求手段、抽出条件要求手段、撮影条件要求手段）
２１３２，２１３２ａ，２１３２ｂ，２１３２ｃ  補正プログラム（補正手段）
２１３３  抽出プログラム（第１の抽出手段、第２の抽出手段）
２１３３ｂ  抽出プログラム（抽出手段）
２１３４，２１３４ｂ  判定プログラム（判定手段）
３  ＩＤカード発行装置
１０００，１０００ａ，１０００ｂ，１０００ｃ  ＩＤカード再発行システム
【図１】
2006331247.tif 000003
【図２】
2006331247.tif 000004
【図３】
2006331247.tif 000005
【図４】
2006331247.tif 000006
【図５】
2006331247.tif 000007
【図６】
2006331247.tif 000008
【図７】
2006331247.tif 000009
【図８】
2006331247.tif 000010
【図９】
2006331247.tif 000011
【図１０】
2006331247.tif 000012